Podtech/llm-jp-corpus-v4-ja_patent huggingface dataset:
【手続補正書】
【提出日】平成27年12月2日(2015.12.2)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
前記有利状態に制御するか否かを決定する事前決定手段と、
可変表示が開始されてから表示結果が導出表示されるまでに一旦仮停止させた後に可変表示を再度実行する再可変表示を所定回実行する再可変表示実行手段と、
前記事前決定手段の決定結果にもとづいて、予め定められた順番に従って１段階から複数段階まで演出の態様を段階的に変化させる予告演出であり、少なくとも前記有利状態に制御する場合は該有利状態に制御しない場合よりも高い割合により予め定められた段階まで演出が行われるステップアップ予告演出を決定する予告演出決定手段と、
前記予告演出決定手段により決定された前記ステップアップ予告演出を実行する予告演出実行手段とを備え、
前記再可変表示が実行されるときに、一の可変表示において実行する前記ステップアップ予告演出と比較して、該一の可変表示の後に実行される可変表示において、期待度が高い前記ステップアップ予告演出を実行可能であり、
前記予告演出決定手段は、
前記ステップアップ予告演出として第１ステップアップ予告演出を決定する第１ステップアップ予告演出決定手段と、
前記ステップアップ予告演出として前記第１ステップアップ予告演出とは異なる第２ステップアップ予告演出を決定する第２ステップアップ予告演出決定手段とを含み、
前記予告演出実行手段は、前記ステップアップ予告演出として前記第１ステップアップ予告演出と前記第２ステップアップ予告演出とを可変表示中に並行して実行可能であり、
前記第１ステップアップ予告演出と前記第２ステップアップ予告演出とは前記有利状態に制御する場合に予め定められた段階まで演出が行われる割合が異なり、
前記再可変表示が実行されるときに、可変表示の各々において、１段階からいずれかの段階まで演出の態様を段階的に変化可能である
ことを特徴とする遊技機。
【手続補正２】
【補正対象書類名】明細書
【補正対象項目名】０００１
【補正方法】変更
【補正の内容】
【０００１】
本発明は、可変表示を行い、遊技者にとって有利な有利状態に制御可能なパチンコ遊技機やスロット機等の遊技機に関する。
【手続補正３】
【補正対象書類名】明細書
【補正対象項目名】００１２
【補正方法】変更
【補正の内容】
【００１２】
本発明による遊技機は、可変表示を行い、遊技者にとって有利な有利状態に制御可能な遊技機であって、有利状態に制御するか否かを決定する事前決定手段と、可変表示が開始されてから表示結果が導出表示されるまでに一旦仮停止させた後に可変表示を再度実行する再可変表示を所定回実行する再可変表示実行手段と、事前決定手段の決定結果にもとづいて、予め定められた順番に従って１段階から複数段階まで演出の態様を段階的に変化させる予告演出であり、少なくとも有利状態に制御する場合は該有利状態に制御しない場合よりも高い割合により予め定められた段階まで演出が行われるステップアップ予告演出を決定する予告演出決定手段と、予告演出決定手段により決定されたステップアップ予告演出を実行する予告演出実行手段とを備え、再可変表示が実行されるときに、一の可変表示において実行するステップアップ予告演出と比較して、該一の可変表示の後に実行される可変表示において、期待度が高いステップアップ予告演出を実行可能であり、予告演出決定手段は、ステップアップ予告演出として第１ステップアップ予告演出を決定する第１ステップアップ予告演出決定手段と、ステップアップ予告演出として第１ステップアップ予告演出とは異なる第２ステップアップ予告演出を決定する第２ステップアップ予告演出決定手段とを含み、予告演出実行手段は、ステップアップ予告演出として第１ステップアップ予告演出と第２ステップアップ予告演出とを可変表示中に並行して実行可能であり、第１ステップアップ予告演出と第２ステップアップ予告演出とは有利状態に制御する場合に予め定められた段階まで演出が行われる割合が異なり、再可変表示が実行されるときに、可変表示の各々において、１段階からいずれかの段階まで演出の態様を段階的に変化可能であることを特徴とする。
【手続補正書】
【提出日】平成27年12月2日(2015.12.2)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技媒体が入賞可能な開放状態と、遊技媒体が入賞不可能な閉鎖状態とに変化する可変入賞装置と、
少なくとも第１事象が発生したことおよび第２事象が発生したことを含む信号出力条件が成立したことにもとづいて、外部出力信号を出力するための外部出力手段と、
前記可変入賞装置内の所定領域を遊技媒体が通過したことにもとづいて価値を付与する価値付与手段とを備え、
前記外部出力手段は、
前記第１事象が発生したときと前記第２事象が発生したときとで、当該遊技機に設けられた共通の出力端子から前記外部出力信号を出力可能であるとともに、
前記外部出力信号を出力しているときに新たに信号出力条件が成立した場合には、前記外部出力信号の出力が終了するタイミングを遅らせる
ことを特徴とする遊技機。
【手続補正２】
【補正対象書類名】明細書
【補正対象項目名】０００１
【補正方法】変更
【補正の内容】
【０００１】
本発明は、遊技を行うことが可能な遊技機に関する。
【手続補正３】
【補正対象書類名】明細書
【補正対象項目名】０００４
【補正方法】削除
【補正の内容】
【手続補正４】
【補正対象書類名】明細書
【補正対象項目名】０００５
【補正方法】変更
【補正の内容】
【０００５】
【特許文献１】特開２００６−１３６７０８号公報
【特許文献２】特開２０００−２７１２８６号公報
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】変更
【補正の内容】
【０００７】
本発明は、外部装置に情報を出力するための機構の部品数の増加や配線作業の複雑化を防ぐことができる遊技機を提供することを目的とする。
【手続補正７】
【補正対象書類名】明細書
【補正対象項目名】０００８
【補正方法】変更
【補正の内容】
【０００８】
本発明による遊技機は、遊技を行うことが可能な遊技機であって、遊技媒体が入賞可能な開放状態と、遊技媒体が入賞不可能な閉鎖状態とに変化する可変入賞装置（例えば、可変入賞球装置（役物）２０）と、少なくとも第１事象が発生したことおよび第２事象が発生したことを含む信号出力条件が成立したことにもとづいて、外部出力信号を出力するための外部出力手段と、可変入賞装置内の所定領域を遊技媒体が通過したことにもとづいて価値を付与する価値付与手段とを備え、外部出力手段は、第１事象が発生したときと第２事象が発生したときとで、当該遊技機に設けられた共通の出力端子から外部出力信号を出力可能であるとともに、外部出力信号を出力しているときに新たに信号出力条件が成立した場合には、外部出力信号の出力が終了するタイミングを遅らせることを特徴とする。
【手続補正８】
【補正対象書類名】明細書
【補正対象項目名】０００９
【補正方法】変更
【補正の内容】
【０００９】
請求項１に記載された遊技機では、外部装置に情報を出力するための機構の部品数の増加や配線作業の複雑化を防ぐことができる。
【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
遊技用価値を用いて遊技を行うことが可能な遊技機であって、
少なくとも一面に電子部品が実装される基板と、
前記一面を被覆し、開口を有する第１カバー部材と、
該一面と反対側の他面を被覆し、開口を有する第２カバー部材と、
前記第１カバー部材と前記第２カバー部材とを締結する締結手段と、
を備え、
前記第１カバー部材と前記第２カバー部材とにより前記基板の側面における少なくとも一部を被覆することなく、前記第１カバー部材の開口周端面と前記第２カバー部材の開口周端面とが前記基板の周縁部を挟み、
前記一面に実装される電子部品は発光ダイオードであり、
前記第１カバー部材は、透光性を有するレンズ部材からなり、
前記第１カバー部材には、前記発光ダイオードからの光を乱反射させて遊技者側に出射させるための加工が施され、
前記基板の周縁部は、前記電子部品の配線パターンが形成されない非配線部とされている
ことを特徴とする遊技機。
【手続補正２】
【補正対象書類名】明細書
【補正対象項目名】０００７
【補正方法】変更
【補正の内容】
【０００７】
前記課題を解決するために、本発明の請求項１に記載の遊技機は、
遊技用価値（遊技球）を用いて遊技を行うことが可能な遊技機（パチンコ遊技機１）であって、
少なくとも一面（前面６０４Ｆまたは背面６０４ｂ）に電子部品（ステージ枠飾りＬＥＤ６１，６２、ＩＣチップ６１５等）が実装される基板（ステージ枠飾り基板６０４）と、
前記一面を被覆し、開口を有する第１カバー部材（前カバー６０６または後カバー６０３）と、
該一面と反対側の他面（後面または前面）を被覆し、開口を有する第２カバー部材（後カバー６０３または前カバー６０６）と、
前記第１カバー部材と前記第２カバー部材とを締結する締結手段（ネジ６２２、取付孔６２３ａ〜６２３ｃ、ネジ穴６２５）と、
を備え、
前記第１カバー部材と前記第２カバー部材とにより前記基板の側面における少なくとも一部を被覆することなく、前記第１カバー部材の開口周端面（例えば、側板６００ａの後端面や外側板６０２ｂの後端面）と前記第２カバー部材の開口周端面（例えば、外側板６２１ａの前端面）とが前記基板の周縁部（外周縁６１０ａ）を挟み（図１５参照）、
前記一面に実装される電子部品は発光ダイオードであり、
前記第１カバー部材は、透光性を有するレンズ部材からなり、
前記第１カバー部材には、前記発光ダイオードからの光を乱反射させて遊技者側に出射させるための加工が施され、
前記基板（ステージ枠飾り基板６０４）の周縁部（外周縁６１０ａ）は、前記電子部品の配線パターンが形成されない非配線部（図１０中網点領域）とされている
ことを特徴としている。
この特徴によれば、第１カバー部材と第２カバー部材とを締結した状態において、第１カバー部材の開口周縁面と第２カバー部材の開口周端面との間に基板の周縁部が挟まれることにより該基板の成型誤差を吸収でき、これにより基板を極力大きくし、電子部品を第１カバー部材の周縁近傍に配置すること等が可能となるため、電子部品の配置自由度が向上する。また、開口周端面との当接により基板の配線パターンと第１カバー部材が導通し、静電気による高電圧が電子部品を破壊したり、配線パターンが断線されることを回避できる。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
本発明の手段１の遊技機は、請求項１に記載の遊技機であって、
前記締結手段は、導電性を有する取付ネジ（金属製のネジ６２２）と、前記第１カバー部材（前カバー６０６または後カバー６０３）および前記第２カバー部材（後カバー６０３または前カバー６０６）に形成された前記取付ネジの取付孔（取付孔６２３ａ〜６２３ｃ、ネジ穴６２５）と、からなり、
前記基板（ステージ枠飾り基板６０４）の周縁部における前記取付孔の対応箇所に切欠部（切欠凹部６０９ａ〜６０９ｃ）が形成されている
ことを特徴としている。
この特徴によれば、導電性の取付ネジと配線パターンとが接触して、静電気による高電圧が電子部品を破壊することを回避できる。
【手続補正５】
【補正対象書類名】明細書
【補正対象項目名】００１０
【補正方法】変更
【補正の内容】
【００１０】
本発明の手段２の遊技機は、手段１に記載の遊技機であって、
前記第１カバー部材（前カバー６０６または後カバー６０３）および前記第２カバー部材（後カバー６０３または前カバー６０６）は、前記基板（ステージ枠飾り基板６０４）の周縁部（外周縁６１０ａ）における前記切欠部（切欠凹部６０９ａ〜６０９ｃ）に対応する箇所に向けて突設される壁部（円筒状壁部６２６、６２６’）を備え、
前記締結手段は、前記第１カバー部材の壁部と前記第２カバー部材の壁部とが前記基板の周縁部における前記切欠部に対応する箇所を挟むように前記第１カバー部材と前記第２カバー部材とを締結する（図１４（ａ）参照）
ことを特徴としている。
この特徴によれば、導電性の取付ネジと配線パターンとが壁部により遮断されるため、埃やごみ等により導通して静電気による高電圧が電子部品を破壊することを回避できる。
【手続補正６】
【補正対象書類名】明細書
【補正対象項目名】００１１
【補正方法】変更
【補正の内容】
【００１１】
本発明の手段３の遊技機は、請求項１、手段１、手段２のいずれかに記載の遊技機であって、
前記電子部品は発光ダイオード（ステージ枠飾りＬＥＤ６２）であり、
前記第１カバー部材（後カバー６０３）における前記発光ダイオードとの対向位置に投光孔（投光孔６２９ａ〜６２９ｄ）が形成されている
ことを特徴としている。
この特徴によれば、第１カバー部材により発光ダイオードからの光を遮ることなく出射させることができる。
【手続補正７】
【補正対象書類名】明細書
【補正対象項目名】００１２
【補正方法】変更
【補正の内容】
【００１２】
本発明の手段４の遊技機は、手段３に記載の遊技機であって、
前記投光孔（投光孔６２９ａ〜６２９ｄ）の直径は、前記遊技用価値としての遊技球の直径（約１１ｍｍ）よりも小さい
ことを特徴としている。
この特徴によれば、帯電した遊技球が投光孔を通して基板に接触することにより、静電気により電子部品が破損することが防止される。
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
可変表示を行う遊技機であって、
可変入賞装置を遊技媒体が入賞しやすい状態に制御する可変入賞装置制御手段と、
未だ開始されていない可変表示が所定条件を満たすか否かを判定する判定手段と、
前記可変入賞装置が遊技媒体が入賞しやすい状態に制御されるか否かを示唆する所定演出を実行する所定演出実行手段と、
前記判定手段による判定にもとづいて、判定の対象となった可変表示が実行される前に予告演出を実行する予告演出実行手段とを備え、
前記予告演出が実行されたときには、前記予告演出が実行されないときに比べて、所定演出が実行される割合が高い、
ことを特徴とする遊技機。
【手続補正２】
【補正対象書類名】明細書
【補正対象項目名】０００１
【補正方法】変更
【補正の内容】
【０００１】
本発明は、可変表示を行う遊技機に関する。
【手続補正３】
【補正対象書類名】明細書
【補正対象項目名】０００９
【補正方法】変更
【補正の内容】
【０００９】
上記目的を達成するため、本願に係る遊技機は、可変表示を行う遊技機であって、可変入賞装置を遊技媒体が入賞しやすい状態に制御する可変入賞装置制御手段と、未だ開始されていない可変表示が所定条件を満たすか否かを判定する判定手段と、前記可変入賞装置が遊技媒体が入賞しやすい状態に制御されるか否かを示唆する所定演出を実行する所定演出実行手段と、前記判定手段による判定にもとづいて、判定の対象となった可変表示が実行される前に予告演出を実行する予告演出実行手段とを備え、前記予告演出が実行されたときには、前記予告演出が実行されないときに比べて、所定演出が実行される割合が高い、ことを特徴とする。
（１）あるいは、遊技媒体（例えば遊技球）が始動領域（例えば第１始動口１３や第２始動口１４）を通過した後に、可変表示の開始条件が成立したことにもとづいて識別情報（例えば、第１特別図柄や第２特別図柄）の可変表示を行い、識別情報の表示結果として特定表示結果（例えば、大当たり図柄）が導出表示されたときに遊技者にとって有利な特定遊技状態（例えば、大当たり遊技状態）に制御する遊技機であって、識別情報の可変表示を、複数の演出モード（例えば、図７９（Ａ）の演出モード）のいずれかにより実行する可変表示制御手段（例えば、図７９（Ａ）の演出モード表が示す背景態様の何れかを背景として表示しながらリーチ演出・スーパーリーチ演出・先読み予告演出を実行する演出制御用ＣＰＵ１０１）と、所定の条件（例えば、演出モードＭＡ−１にて予告演出が実行されると決定されること、あるいは演出モードＭＡ−２にて第１保留記憶または第２保留記憶に確変大当りが存在すること）が成立すると、前記可変表示制御手段が実行する演出モードを、前記複数の演出モードのうち実行中の演出モード（例えば演出モードＭＡ−１又は演出モードＭＡ−２）とは異なる演出モード（例えば、実行中の演出モードＭＡ−１に対する演出モードＭＡ−２，実行中の演出モードＭＡ−２に対する演出モードＭＡ−３）に移行する演出モード移行手段（例えば、先読み予告演出が実行されると決定されたことに基づいて背景を背景態様１から背景態様２に、保留記憶に確変大当りが含まれることに基づいて背景態様２から背景態様３に、それぞれ変更する演出制御用ＣＰＵ１０１）と、遊技媒体が所定領域（例えば、ゲート３２）を通過したことにもとづいて、可変入賞装置（例えば、可変入賞球装置１５）を遊技媒体が進入しやすい状態に制御する可変入賞装置制御手段（例えば、ステップＳ４０４の処理を実行するマイクロコンピュータ５６０のＣＰＵ５６）と、前記始動領域を遊技媒体が通過したが未だ可変表示の開始条件が成立していない可変表示について、保留記憶として記憶する保留記憶手段（例えば、ＲＡＭ５５に定義された合算保留記憶数カウンタ、図２７（Ａ）の保留記憶特定情報記憶領域、図２７（Ｂ）の第１保留記憶バッファ及び第２保留記憶バッファ）と、前記保留記憶手段に記憶されている保留記憶にもとづいて、表示結果が特定表示結果となるか否かを判定する開始条件成立前判定手段（例えば、図２８のステップＳ２２０、ステップＳ２２２を実行するマイクロコンピュータ５６０のＣＰＵ５６）と、可変表示の開始条件が成立したときに、前記保留記憶手段に記憶されている保留記憶にもとづいて、表示結果を特定表示結果にするか否かを決定する開始条件成立時決定手段（例えば、図３０のステップＳ６１を実行するマイクロコンピュータ５６０のＣＰＵ５６）と、前記可変入賞装置が遊技媒体が進入しやすい状態に制御されるか否か（例えば、図４５に示す所定演出で）と、前記演出モード移行手段により演出モードが移行されるか否か（例えば、演出モード変更所定演出で）と、前記開始条件成立時決定手段の決定結果にもとづいて識別情報の可変表示において識別情報の表示結果が特定表示結果になる可能性（例えば、図４７又は図４８に示す所定演出で）と、の何れかを示唆する所定演出を実行する所定演出実行手段（例えば、図５５のステップＳ７７９で開始された第１所定演出を実行する演出制御用ＣＰＵ１０１、及び図６６のステップＳ８０２９又はステップＳ８０３２で所定演出の演出パターンを含むプロセスデータを選択し、ステップＳ８０３６及び図７１のＳ８５１にて選択したプロセスデータに従って演出装置を制御する演出制御用ＣＰＵ１０１）と、前記開始条件成立前判定手段による判定にもとづいて、判定の対象となった識別情報の可変表示が実行される前に予告演出（例えば、先読み予告演出）を実行するか否かを決定する予告演出決定手段（例えば、図５９のステップＳ６０１３で、図６２の先読み予告演出決定テーブルを用いて先読み予告を実行するか決定する演出制御用ＣＰＵ１０１）と、前記予告演出決定手段の決定にもとづいて前記予告演出を実行する予告演出実行手段（図６６のステップＳ８０３２で先読み予告演出を含む演出パターンを含むプロセステーブルを選択し、選択したプロセステーブルのプロセスデータに従ってステップＳ８０３６及び図７１のＳ８５１にて演出装置を制御する演出制御用ＣＰＵ１０１）とを備え、前記所定演出実行手段は、前記予告演出が実行されたときには、前記予告演出が実行されないときに比べて、高い割合で所定演出を実行する（図６２参照）、ようにしてもよい。
このような構成によれば、遊技の興趣が高くなる。
【手続補正書】
【提出日】平成28年6月8日(2016.6.8)
【手続補正１】
【補正対象書類名】特許請求の範囲
【補正対象項目名】全文
【補正方法】変更
【補正の内容】
【特許請求の範囲】
【請求項１】
荷電粒子又は電磁波の何れかをビームとして発生させるビーム発生手段と、
ワーキングチャンバ内において可動ステージ上に保持された検査対象に、前記ビームを導き照射する１次光学系と、
前記検査対象から発生した二次荷電粒子を検出する２次光学系と、
検出された前記二次荷電粒子に基づいて画像を形成する画像処理系と、
前記可動ステージを駆動させるリニアモータと、
前記可動ステージを駆動させるときに前記リニアモータから発生する磁場を相殺するための磁場を発生させるヘルムホルツコイルと、
前記リニアモータを駆動させる駆動電流を検出する電流検出手段と、
前記電流検出手段により検出された駆動電流に応じて、前記ヘルムホルツコイルから発生させる磁場の強度を制御する磁場制御手段と、
を備えることを特徴とする検査装置。
【請求項２】
前記可動ステージの位置を検出する位置検出手段を備え、
前記磁場制御手段は、前記電流検出手段により検出された駆動電流と前記位置検出手段により検出された位置に応じて、前記ヘルムホルツコイルから発生させる磁場の強度を制御する、請求項１に記載の検査装置。
【手続補正書】
【提出日】平成28年6月1日(2016.6.1)
【手続補正１】
【補正対象書類名】特許請求の範囲
【補正対象項目名】全文
【補正方法】変更
【補正の内容】
【特許請求の範囲】
【請求項１】
光を射出する放電灯と、
前記放電灯を駆動する駆動電流を前記放電灯に供給する放電灯駆動部と、
前記放電灯駆動部を制御する制御部と、
を備え、
前記駆動電流は、第１期間と、第２期間と、を交互に有し、
前記第１期間の前記駆動電流の絶対値は、前記第２期間の前記駆動電流の絶対値よりも小さく、
前記第１期間において、前記駆動電流として交流電流が前記放電灯に供給され、
前記第１期間における前記交流電流の周波数は、７５０Ｈｚ以上であることを特徴とする光源装置。
【請求項２】
前記第１期間の前記駆動電流の絶対値は、前記第２期間の前記駆動電流の絶対値の８０％以下である、請求項１に記載の光源装置。
【請求項３】
前記第２期間において、前記駆動電流として交流電流が前記放電灯に供給される、請求項１または２に記載の光源装置。
【請求項４】
前記制御部は、前記第２期間における前記交流電流の周波数を、前記第２期間が設けられるごとに変化させ、前記第１期間における前記交流電流の周波数を、７５０Ｈｚ以上でありかつ一定の周波数とする、請求項３に記載の光源装置。
【請求項５】
時間的に１つの前記第２期間を挟む２つの前記第１期間において、前記駆動電流として互いに逆位相となる交流電流が前記放電灯に供給される、請求項１から４のいずれか一項に記載の光源装置。
【請求項６】
時間的に１つの前記第１期間を挟む２つの前記第２期間において、前記駆動電流として互いに逆位相となる交流電流が前記放電灯に供給される、請求項１から５のいずれか一項に記載の光源装置。
【請求項７】
請求項１から６のいずれか一項に記載の光源装置と、
前記放電灯から射出される光を映像信号に応じて変調する光変調素子と、
前記光変調素子により変調された光を投射する投射光学系と、
を備えることを特徴とするプロジェクター。
【請求項８】
請求項７に記載のプロジェクターと、
右目用シャッターと左目用シャッターとを有するシャッターメガネと、
を備え、
前記プロジェクターは、所定の切替タイミングで、右目用映像と左目用映像とを交互に切り替えて出力し、
時間的に隣り合う前記切替タイミングに挟まれる期間は、前記第１期間で始まり、前記第２期間で終わることを特徴とするプロジェクションシステム。
【請求項９】
前記右目用シャッターおよび前記左目用シャッターは、前記制御部からの信号に基づいて開状態と閉状態との間で切り替えられ、
前記第１期間において、前記右目用シャッターおよび前記左目用シャッターは前記閉状態となり、
前記第２期間において、前記右目用シャッターおよび前記左目用シャッターのうち一方は前記開状態となり、他方のシャッターは前記閉状態となる、請求項８に記載のプロジェクションシステム。
【手続補正２】
【補正対象書類名】明細書
【補正対象項目名】０００９
【補正方法】変更
【補正の内容】
【０００９】
本発明の一つの態様の光源装置は、光を射出する放電灯と、前記放電灯を駆動する駆動電流を前記放電灯に供給する放電灯駆動部と、前記放電灯駆動部を制御する制御部と、を備え、前記駆動電流は、第１期間と、第２期間と、を交互に有し、前記第１期間の前記駆動電流の絶対値は、前記第２期間の前記駆動電流の絶対値よりも小さく、前記第１期間において、前記駆動電流として交流電流が前記放電灯に供給され、前記第１期間における前記交流電流の周波数は、７５０Ｈｚ以上であることを特徴とする。
【手続補正３】
【補正対象書類名】明細書
【補正対象項目名】００７９
【補正方法】変更
【補正の内容】
【００７９】
右目用シャッター４１２は、右目用映像に対応する駆動信号５７２Ｒ，５７２Ｇ，５７２Ｂが液晶パネル５６０Ｒ，５６０Ｇ，５６０Ｂに入力されている期間の少なくとも一部の期間で開いた状態となる。図７に示される例では、右目用シャッター４１２は、時刻ｔ１から時刻ｔ２までの間、すなわち第１期間Ｐ１では閉じた状態であり、時刻ｔ２から時刻ｔ３までの間、すなわち第２期間Ｐ２では開いた状態である。また、左目用映像に対応する駆動信号５７２Ｒ，５７２Ｇ，５７２Ｂが液晶パネル５６０Ｒ，５６０Ｇ，５６０Ｂに入力されている期間において、右目用シャッター４１２は、切替タイミング（時刻ｔ３）から閉じ始め、第１期間Ｐ１（時刻ｔ３と時刻ｔ４との間）で閉じ終わり、第２期間Ｐ２（時刻ｔ４から時刻ｔ５まで）の間は閉じた状態である。時刻ｔ５から時刻ｔ７までの間における右目用シャッター４１２の開閉状態の変化は、時刻ｔ１から時刻ｔ３までの間の開閉状態の変化と同様である。
【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
真空容器と、前記真空容器内にプラズマを生成するための第一の高周波電力を供給する第一の高周波電源と、前記真空容器内に配置され試料が載置される試料台と、前記試料台に第二の高周波電力を供給する第二の高周波電源と、前記第二の高周波電力の反射を抑制するための整合を行う整合器とを備えるプラズマ処理装置において、
前記第一の高周波電力と前記第二の高周波電力が時間変調される場合、所定時間の経過後から前記時間変調された第二の高周波電力のオン終了時間までの期間とするサンプリング有効期間に前記整合を行うための情報を前記整合器に取得させる制御部をさらに備え、
前記所定時間は、前記時間変調された第二の高周波電力のオン開始時間から開始するとともに前記整合を行うための情報を取得しない時間であることを特徴とするプラズマ処理装置。
【請求項２】
請求項１に記載のプラズマ処理装置において、
前記所定時間は、時間変調された第一の高周波電力により生成されたプラズマの密度に基づいて求められることを特徴とするプラズマ処理装置。
【請求項３】
請求項１または請求項２に記載のプラズマ処理装置において、
前記サンプリング有効期間は、前記第二の高周波電力を時間変調するための周波数と前記第二の高周波電力を時間変調するためのデュティー比と前記所定時間に基づいて求められることを特徴とするプラズマ処理装置。
【請求項４】
請求項１に記載のプラズマ処理装置において、
前記所定時間は、前記第二の高周波電力のピークトウピーク値であるＶｐｐが安定するのに要する時間に基づいて求められることを特徴とするプラズマ処理装置。
【請求項５】
請求項１に記載のプラズマ処理装置において、
前記所定時間は、前記プラズマの発光強度が安定するのに要する時間に基づいて求められることを特徴とするプラズマ処理装置。
【請求項６】
請求項１に記載のプラズマ処理装置において、
前記制御部は、前記サンプリング有効期間後から次回の前記サンプリング有効期間までの期間は、前記サンプリング有効期間に取得された整合を行うための情報に基づいて前記整合器に整合を行わせることを特徴とするプラズマ処理装置。
【請求項７】
請求項３に記載のプラズマ処理装置において、
前記周波数は、前記整合を行う周期の逆数の整数倍であることを特徴とするプラズマ処理装置。
【請求項８】
真空容器と、前記真空容器内にプラズマを生成するための第一の高周波電力を供給する第一の高周波電源と、前記真空容器内に配置され試料が載置される試料台と、前記試料台に第二の高周波電力を供給する第二の高周波電源と、前記第二の高周波電力の反射を抑制するための整合を行う整合器とを備えるプラズマ処理装置において、
前記第一の高周波電力と前記第二の高周波電力が時間変調される場合、前記整合を行うための情報を取得しない期間である所定時間の経過後から前記時間変調された第二の高周波電力のオン終了時間までの期間とするサンプリング有効期間に前記整合を行うための情報を前記整合器に取得させる制御部をさらに備えることを特徴とするプラズマ処理装置。
【請求項９】
請求項８に記載のプラズマ処理装置において、
前記サンプリング有効期間は、予め求められた値とし、
前記所定時間は、前記時間変調された第二の高周波電力のオン開始時間から開始するとともに前記第二の高周波電力を時間変調するための周波数と前記第二の高周波電力を時間変調するためのデュティー比により求められた前記時間変調された第二の高周波電力のオン時間から前記サンプリング有効期間を減じた時間であることを特徴とするプラズマ処理装置。
【請求項１０】
請求項９に記載のプラズマ処理装置において、
前記周波数は、前記整合を行う周期の逆数の整数倍であることを特徴とするプラズマ処理装置。
【請求項１１】
請求項８ないし請求項１０のいずれか一項に記載のプラズマ処理装置において、
前記制御部は、前記サンプリング有効期間後から次回の前記サンプリング有効期間までの期間は、前記サンプリング有効期間に取得された整合を行うための情報に基づいて前記整合器に整合を行わせることを特徴とするプラズマ処理装置。
【手続補正２】
【補正対象書類名】明細書
【補正対象項目名】００２０
【補正方法】変更
【補正の内容】
【００２０】
本発明は、真空容器と、前記真空容器内にプラズマを生成するための第一の高周波電力を供給する第一の高周波電源と、前記真空容器内に配置され試料が載置される試料台と、前記試料台に第二の高周波電力を供給する第二の高周波電源と、前記第二の高周波電力の反射を抑制するための整合を行う整合器とを備えるプラズマ処理装置において、前記第一の高周波電力と前記第二の高周波電力が時間変調される場合、所定時間の経過後から前記時間変調された第二の高周波電力のオン終了時間までの期間とするサンプリング有効期間に前記整合を行うための情報を前記整合器に取得させる制御部をさらに備え、
前記所定時間は、前記時間変調された第二の高周波電力のオン開始時間から開始するとともに前記整合を行うための情報を取得しない時間であることを特徴とする。
【手続補正３】
【補正対象書類名】明細書
【補正対象項目名】００２１
【補正方法】変更
【補正の内容】
【００２１】
また、本発明は、真空容器と、前記真空容器内にプラズマを生成するための第一の高周波電力を供給する第一の高周波電源と、前記真空容器内に配置され試料が載置される試料台と、前記試料台に第二の高周波電力を供給する第二の高周波電源と、前記第二の高周波電力の反射を抑制するための整合を行う整合器とを備えるプラズマ処理装置において、前記第一の高周波電力と前記第二の高周波電力が時間変調される場合、前記整合を行うための情報を取得しない期間である所定時間の経過後から前記時間変調された第二の高周波電力のオン終了時間までの期間とするサンプリング有効期間に前記整合を行うための情報を前記整合器に取得させる制御部をさらに備えることを特徴とする。
【手続補正４】
【補正対象書類名】明細書
【補正対象項目名】発明の名称
【補正方法】変更
【補正の内容】
【発明の名称】プラズマ処理装置
【手続補正書】
【提出日】平成28年5月16日(2016.5.16)
【手続補正１】
【補正対象書類名】特許請求の範囲
【補正対象項目名】全文
【補正方法】変更
【補正の内容】
【特許請求の範囲】
【請求項１】
Ｘ線を発生するＸ線発生手段と、前記Ｘ線の画像を撮影する画像撮影手段を有するＸ線撮影手段と、を有するＸ線画像撮影装置であって、前記Ｘ線撮影手段は、
前記Ｘ線発生手段と前記Ｘ線撮影手段との間でＸ線発生のタイミングと前記Ｘ線撮影手段の駆動タイミングとを同期するための通信が行われるか否かを判定する判定手段と、
前記判定に応じて前記画像撮影手段の駆動方法を設定する設定手段と、
を備えることを特徴とするＸ線画像撮影装置。
【請求項２】
前記判定手段は、
前記Ｘ線発生手段に対して、前記通信が行われるか否かを判定するための判定信号を送信し、前記判定信号に対する応答信号を前記Ｘ線発生手段から受信した場合、前記Ｘ線発生手段と前記Ｘ線撮影手段とは同期した通信が行われる接続状態であると判定し、
前記判定信号に対する応答信号を前記Ｘ線発生手段から受信しない場合、前記Ｘ線発生手段と前記Ｘ線撮影手段とは非同期の通信が行われる接続状態であると判定することを特徴とする請求項１に記載のＸ線画像撮影装置。
【請求項３】
前記設定手段は、前記非同期の通信が行われる接続状態における前記画像撮影手段の蓄積時間を、前記同期した通信が行われる接続状態における前記画像撮影手段の蓄積時間よりも短く設定することを特徴とする請求項２に記載のＸ線画像撮影装置。
【請求項４】
前記設定手段は、前記非同期の通信が行われる接続状態における前記画像撮影手段の撮影モードとして、前記同期した通信が行われる接続状態における前記画像撮影手段の撮影モードよりも短い蓄積時間の撮影モードを設定することを特徴とする請求項３に記載のＸ線画像撮影装置。
【請求項５】
前記画像撮影手段は前記Ｘ線を電荷に変換する複数の変換素子が配置されたセンサアレイを有し、
前記設定手段は、前記変換素子に前記電荷の蓄積を開始するタイミング、および前記変換素子に蓄積された前記電荷の読み出しを開始するタイミングのうち、少なくともいずれか一方のタイミングを変更して前記蓄積時間を設定することを特徴とする請求項３または４に記載のＸ線画像撮影装置。
【請求項６】
前記Ｘ線発生手段と前記Ｘ線撮影手段とが同期した通信が行われる接続状態にある場合、前記設定手段は、前記Ｘ線発生手段と前記Ｘ線撮影手段との間の通信により、前記駆動方法を設定することを特徴とする請求項２乃至４のいずれか１項に記載のＸ線画像撮影装置。
【請求項７】
前記Ｘ線撮影手段は、
前記非同期の通信が行われる接続状態で、複数の暗電流画像を取得する取得手段と、
前記複数の暗電流画像の電荷と前記Ｘ線の照射時の電荷とを比較して、暗電流の電荷の蓄積時において、前記Ｘ線が照射されているか否かを判定する電荷判定手段と、
前記Ｘ線が照射されている場合、前記暗電流の電荷の蓄積時の画像をＸ線画像として処理する処理手段と、を更に備えることを特徴とする請求項２乃至６のいずれか１項に記載のＸ線画像撮影装置。
【請求項８】
前記Ｘ線撮影手段は、
被写体の撮影部位を選択する選択手段と、
前記撮影部位に応じたＸ線の照射量を判定する照射量判定手段と、
を更に備え、
前記設定手段は、前記判定の結果と、前記Ｘ線の照射量の判定結果と、を用いて前記画像撮影手段の駆動方法を設定することを特徴とする請求項２乃至７のいずれか１項に記載のＸ線画像撮影装置。
【請求項９】
前記判定の結果が非同期の通信が行われる接続状態であり、かつ、前記Ｘ線の照射量の判定結果が閾値のＸ線照射量以上の場合、
前記設定手段は、前記非同期の通信が行われる接続状態における前記画像撮影手段の蓄積時間を、前記同期した通信が行われる接続状態における前記画像撮影手段の蓄積時間よりも短く設定することを特徴とする請求項８に記載のＸ線画像撮影装置。
【請求項１０】
前記Ｘ線撮影手段は、
前記画像撮影手段の駆動方法により撮影されたＸ線画像から暗電流画像の差分をとることにより、前記Ｘ線画像を補正する前処理手段を更に備えることを特徴とする請求項２乃至９のいずれか１項に記載のＸ線画像撮影装置。
【請求項１１】
前記前処理手段は、前記非同期の通信が行われる接続状態における前記画像撮影手段の蓄積時間における前記Ｘ線画像と、前記画像撮影手段の蓄積時間に等しい画像蓄積時間における暗電流画像とを取得して、前記Ｘ線画像から前記暗電流画像の差分をとることにより、前記Ｘ線画像を補正することを特徴とする請求項１０に記載のＸ線画像撮影装置。
【請求項１２】
前記Ｘ線撮影手段は、
前記画像撮影手段の駆動方法により撮影されたＸ線画像に対して画像処理を行う画像処理手段を更に備えることを特徴とする請求項２乃至１１のいずれか１項に記載のＸ線画像撮影装置。
【請求項１３】
前記画像処理手段は、前記非同期の通信が行われる接続状態において撮影されたＸ線画像に対して特定周波数における強調係数を強くした周波数処理により前記Ｘ線画像に含まれるノイズを低減することを特徴とする請求項１２に記載のＸ線画像撮影装置。
【請求項１４】
Ｘ線を発生するＸ線発生手段と、前記Ｘ線の画像を撮影する画像撮影手段を有するＸ線撮影手段と、を有するＸ線画像撮影装置であって、前記Ｘ線撮影手段は、
前記Ｘ線撮影手段にＸ線が照射されたことを示す信号を出力する出力手段と、
前記信号に応じて前記画像撮影手段の駆動方法を設定する設定手段と、
を備えることを特徴とするＸ線画像撮影装置。
【請求項１５】
前記設定手段は、
前記信号の時間変化を算出する算出手段を有し、
前記算出の結果に応じて、前記画像撮影手段の蓄積時間を設定することを特徴とする請求項１４に記載のＸ線画像撮影装置。
【請求項１６】
前記設定手段は、
前記信号の閾値に応じて前記蓄積時間を設定することを特徴とする請求項１５に記載のＸ線画像撮影装置。
【請求項１７】
請求項１乃至１６のいずれか１項に記載のＸ線画像撮影装置を有するＸ線画像撮影システム。
【請求項１８】
Ｘ線を発生するＸ線発生手段と、前記Ｘ線の画像を撮影する画像撮影手段を有するＸ線撮影手段と、を有するＸ線画像撮影装置の制御方法であって、
前記Ｘ線撮影手段の判定手段が、前記Ｘ線発生手段と前記Ｘ線撮影手段との間でＸ線発生のタイミングと前記Ｘ線撮影手段の駆動タイミングとを同期するための通信が行われるか否かを判定する判定工程と、
前記Ｘ線撮影手段の設定手段が、前記判定に応じて前記画像撮影手段の駆動方法を設定する設定工程と、
を有することを特徴とするＸ線画像撮影装置の制御方法。
【請求項１９】
Ｘ線を発生するＸ線発生手段と、前記Ｘ線の画像を撮影する画像撮影手段を有するＸ線撮影手段と、を有するＸ線画像撮影装置の制御方法であって、
前記Ｘ線撮影手段の判定手段が、前記Ｘ線撮影手段のバイアス信号を判定する判定工程と、
前記Ｘ線撮影手段の設定手段が、前記判定に応じて前記画像撮影手段の駆動方法を設定する設定工程と、
を有することを特徴とするＸ線画像撮影装置の制御方法。
【請求項２０】
コンピュータを、請求項１乃至１６のいずれか１項に記載のＸ線画像撮影装置の各手段として機能させるためのプログラム。
【手続補正書】
【提出日】平成28年3月23日(2016.3.23)
【手続補正１】
【補正対象書類名】特許請求の範囲
【補正対象項目名】請求項６
【補正方法】変更
【補正の内容】
【請求項６】
前記便器と、
前記便器の上に設けられた請求項１乃至請求項５のいずれか１項に記載の便座装置と、
を備えたことを特徴とするトイレ装置。
【手続補正２】
【補正対象書類名】明細書
【補正対象項目名】００１８
【補正方法】変更
【補正の内容】
【００１８】
また、本発明においては、前記便器と、前記便器の上に設けられた上記の便座装置と、を備えたことを特徴とする。
【手続補正書】
【提出日】平成28年6月2日(2016.6.2)
【手続補正１】
【補正対象書類名】明細書
【補正対象項目名】０００１
【補正方法】変更
【補正の内容】
【０００１】
本発明は、複数の可動装置を備えた遊技機に関する。
【手続補正２】
【補正対象書類名】明細書
【補正対象項目名】０００２
【補正方法】変更
【補正の内容】
【０００２】
従来のパチンコ遊技機やスロットマシンにおいては、始動条件の成立により複数の識別情報を変動表示するゲームを実行し、停止条件の成立により停止させたゲームの結果に基づいて、遊技者にとって有利な特別遊技状態を発生させるなどの特典を付与するものが一般的である。例えば、パチンコ遊技機では、遊技盤に形成される遊技領域に設けた始動口への遊技球の入賞に基づき、センターケースの窓部に表示部を臨ませた表示装置で変動表示ゲームを実行し、該変動表示ゲームが特別結果となると、センターケースに設けた変動入賞装置を閉状態から開状態に変換するよう構成されたものが知られている。また、遊技領域に設けた普図始動ゲートへの遊技球の入賞に基づき普図変動表示ゲームを実行し、該普図変動表示ゲームが特別結果となると、遊技領域に設けた変動入賞装置を閉状態から開状態に変換するよう構成されたものもある。
このようなパチンコ遊技機の変動入賞装置は、遊技領域に臨んで入賞口を開閉変換することが可能な可動部材（羽根部材、扉部材等）と、遊技盤の裏面側に臨んで可動部材を開閉変換するための駆動力を発生させる電気的駆動源（モータやソレノイド等）とを少なくとも備えており、該電気的駆動源に電力を供給（励磁）することで可動部材が閉状態から開状態に変換するように設定されている。また、遊技盤の裏面側には、所定の演出動作を行うことが可能な可動演出部材を備えた可動演出装置を配設し、変動表示ゲームの進行に応じて可動演出部材を表示装置の前方で演出動作させることで遊技の興趣を高めるように構成したものもある（例えば、特許文献１参照）。
【手続補正３】
【補正対象書類名】明細書
【補正対象項目名】０００３
【補正方法】変更
【補正の内容】
【０００３】
【特許文献１】特開２０１２−００５５７９号公報
【手続補正４】
【補正対象書類名】明細書
【補正対象項目名】０００４
【補正方法】変更
【補正の内容】
【０００４】
ところで、上記特許文献１のように、変動入賞装置の電気的駆動源が遊技盤の裏面側に臨む場合には、表示装置や可動演出装置等が密集する遊技盤の裏面側に電気的駆動源から発生した熱気が篭り易いという問題がある。そのため、遊技者に有利な特定遊技状態（大当り状態や普電サポート状態等）が発生して変動入賞装置が頻繁に動作するようになると、電気的駆動源が異常に発熱することで故障したり、動作不良が発生したりするという問題があった。
【手続補正５】
【補正対象書類名】明細書
【補正対象項目名】０００５
【補正方法】変更
【補正の内容】
【０００５】
そこで、本発明は、上記の事情に鑑みてなされたものであり、その目的は、可動装置の駆動源の発熱による故障や動作不良を回避することができる遊技機を提供しようとするものである。
【手続補正６】
【補正対象書類名】明細書
【補正対象項目名】０００６
【補正方法】変更
【補正の内容】
【０００６】
本発明は、上記目的を達成するために提案されたものであり、請求項１に記載のものは、第１可動装置と第２可動装置とを備えた遊技機において、
当該遊技機の遊技状態には、遊技の進行に応じて第１遊技状態と第２遊技状態とがあり、
前記第１可動装置は、第１可動部材と、該第１可動部材を駆動するための第１駆動源と、を備え、
前記第２可動装置は、第２可動部材を備え、
前記第１駆動源は、当該遊技機に設けられた配設空間部に配設され、
前記第２可動部材は、当該遊技機に設けられた作動空間部において作動し、
前記第２可動部材の作動により前記作動空間部内の空気と前記配設空間部内の空気とが攪拌され得るように構成し、
前記第１遊技状態と前記第２遊技状態とでは、前記第２可動装置の作動頻度が異なることを特徴とする遊技機である。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００２２
【補正方法】削除
【補正の内容】
【手続補正２３】
【補正対象書類名】明細書
【補正対象項目名】００２３
【補正方法】削除
【補正の内容】
【手続補正２４】
【補正対象書類名】明細書
【補正対象項目名】００２４
【補正方法】変更
【補正の内容】
【００２４】
本発明によれば、駆動源の発熱による故障や動作不良を回避することが可能となる。
【手続補正２５】
【補正対象書類名】特許請求の範囲
【補正対象項目名】全文
【補正方法】変更
【補正の内容】
【特許請求の範囲】
【請求項１】
第１可動装置と第２可動装置とを備えた遊技機において、
当該遊技機の遊技状態には、遊技の進行に応じて第１遊技状態と第２遊技状態とがあり、
前記第１可動装置は、第１可動部材と、該第１可動部材を駆動するための第１駆動源と、を備え、
前記第２可動装置は、第２可動部材を備え、
前記第１駆動源は、当該遊技機に設けられた配設空間部に配設され、
前記第２可動部材は、当該遊技機に設けられた作動空間部において作動し、
前記第２可動部材の作動により前記作動空間部内の空気と前記配設空間部内の空気とが攪拌され得るように構成し、
前記第１遊技状態と前記第２遊技状態とでは、前記第２可動装置の作動頻度が異なることを特徴とする遊技機。
【手続補正書】
【提出日】平成28年9月27日(2016.9.27)
【手続補正１】
【補正対象書類名】明細書
【補正対象項目名】０００１
【補正方法】変更
【補正の内容】
【０００１】
本発明は、遊技を統括的に制御する遊技制御手段を備えた遊技機に関する。
【手続補正２】
【補正対象書類名】明細書
【補正対象項目名】０００２
【補正方法】変更
【補正の内容】
【０００２】
従来、始動条件の成立に基づいて変動表示ゲームを実行し、変動表示ゲームの結果態様が特別結果態様となった場合に、遊技者に遊技価値を付与する特別遊技状態を発生させる遊技機が知られている（例えば、特許文献１参照）。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】削除
【補正の内容】
【手続補正５】
【補正対象書類名】明細書
【補正対象項目名】０００５
【補正方法】変更
【補正の内容】
【０００５】
【特許文献１】特開２００２−１７２２１５号公報
【手続補正６】
【補正対象書類名】明細書
【補正対象項目名】０００６
【補正方法】変更
【補正の内容】
【０００６】
本発明は、複数種類の乱数値を生成可能な遊技機を提供することを目的とする。
【手続補正７】
【補正対象書類名】明細書
【補正対象項目名】０００７
【補正方法】変更
【補正の内容】
【０００７】
本発明は、
遊技を統括的に制御する遊技制御手段を備えた遊技機において、
前記遊技制御手段は、
所定の遊技制御プログラムにより遊技制御を行う演算処理手段と、
前記遊技制御での抽選に用いられる乱数値を生成する乱数生成手段と、を備え、
前記乱数生成手段では、複数種類の乱数値を生成可能であることを特徴とする。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】変更
【補正の内容】
【００１１】
本発明によれば、複数種類の乱数値を生成することができる。
【手続補正１２】
【補正対象書類名】特許請求の範囲
【補正対象項目名】全文
【補正方法】変更
【補正の内容】
【特許請求の範囲】
【請求項１】
遊技を統括的に制御する遊技制御手段を備えた遊技機において、
前記遊技制御手段は、
所定の遊技制御プログラムにより遊技制御を行う演算処理手段と、
前記遊技制御での抽選に用いられる乱数値を生成する乱数生成手段と、を備え、
前記乱数生成手段では、複数種類の乱数値を生成可能であることを特徴とする遊技機。
【手続補正書】
【提出日】平成28年9月27日(2016.9.27)
【手続補正１】
【補正対象書類名】明細書
【補正対象項目名】０００１
【補正方法】変更
【補正の内容】
【０００１】
本発明は、遊技を統括的に制御する遊技制御手段を備えた遊技機に関する。
【手続補正２】
【補正対象書類名】明細書
【補正対象項目名】０００２
【補正方法】変更
【補正の内容】
【０００２】
従来、始動条件の成立に基づいて変動表示ゲームを実行し、変動表示ゲームの結果態様が特別結果態様となった場合に、遊技者に遊技価値を付与する特別遊技状態を発生させる遊技機が知られている（例えば、特許文献１参照）。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】削除
【補正の内容】
【手続補正５】
【補正対象書類名】明細書
【補正対象項目名】０００５
【補正方法】変更
【補正の内容】
【０００５】
【特許文献１】特開２００２−１７２２１５号公報
【手続補正６】
【補正対象書類名】明細書
【補正対象項目名】０００６
【補正方法】変更
【補正の内容】
【０００６】
本発明は、不正行為を防止可能な遊技機を提供することを目的とする。
【手続補正７】
【補正対象書類名】明細書
【補正対象項目名】０００７
【補正方法】変更
【補正の内容】
【０００７】
本発明は、
遊技を統括的に制御する遊技制御手段を備えた遊技機において、
前記遊技制御手段は、
所定の遊技制御プログラムにより遊技制御を行う演算処理手段と、
前記演算処理手段によって更新される情報が記憶可能な記憶手段と、を備え、
前記演算処理手段は、当該遊技機の電源が投入されたことに対応して、前記記憶手段に記憶された情報の正当性を判定するようにしたことを特徴とする。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】変更
【補正の内容】
【００１１】
本発明によれば、不正行為を防止することができる。
【手続補正１２】
【補正対象書類名】特許請求の範囲
【補正対象項目名】全文
【補正方法】変更
【補正の内容】
【特許請求の範囲】
【請求項１】
遊技を統括的に制御する遊技制御手段を備えた遊技機において、
前記遊技制御手段は、
所定の遊技制御プログラムにより遊技制御を行う演算処理手段と、
前記演算処理手段によって更新される情報が記憶可能な記憶手段と、を備え、
前記演算処理手段は、当該遊技機の電源が投入されたことに対応して、前記記憶手段に記憶された情報の正当性を判定するようにしたことを特徴とする遊技機。